(57)【要約】【課題】特別な知識を有していなくても、生体情報を基にして睡眠に関する評価を把握することができる睡眠評価レポート生成装置を提供する。【解決手段】少なくとも心拍数、呼吸数、体動を含むユーザの生体情報を取得する測定結果取得部と、前記測定結果取得部により取得された生体情報と睡眠の環境に関する睡眠環境状態とに基づいて、睡眠の良し悪しを判定した睡眠の質の度合いを含む評価データを生成する評価データ生成部と、前記睡眠の質の度合い、及び睡眠に関する評価を行う評価指標として少なくとも睡眠波形、寝返り回数、熟睡時間、心拍、呼吸波形の何れか一つを含む評価レポート情報を生成する評価レポート生成部と、前記評価レポート情報を出力する出力部と、を有する。【選択図】図１
2019202125.tif 000002
【特許請求の範囲】
【請求項１】
少なくとも心拍数、呼吸数、体動を含むユーザの生体情報を取得する測定結果取得部と、
前記測定結果取得部により取得された生体情報と睡眠の環境に関する睡眠環境状態とに基づいて、睡眠の良し悪しを判定した睡眠の質の度合いを含む評価データを生成する評価データ生成部と、
前記睡眠の質の度合い、及び睡眠に関する評価を行う評価指標として少なくとも睡眠波形、寝返り回数、熟睡時間、心拍、呼吸波形の何れか一つを含む評価レポート情報を生成する評価レポート生成部と、
前記評価レポート情報を出力する出力部と、
を有する睡眠評価レポート生成装置。
【請求項２】
前記睡眠の質の度合いは、睡眠の質の良し悪しを点数化した睡眠スコアである、
請求項１に記載の睡眠評価レポート生成装置。
【請求項３】
前記測定結果取得部は、宿泊施設におけるユーザが宿泊する部屋ごとに設けられたセンサシートにより測定された、ユーザの生体情報を取得し、
前記評価レポート生成部は、前記宿泊施設におけるユーザが宿泊する部屋ごとに前記評価レポート情報を生成する、
請求項１又は請求項２に記載の睡眠評価レポート生成装置。
【請求項４】
請求項１から請求項３の何れか一項に記載の睡眠評価レポート生成装置と、
操作入力に応じて前記睡眠評価レポート生成装置から前記評価レポート情報を受信し、受信した評価レポート情報の内容である睡眠評価レポートを表示する表示装置と、
を備える睡眠評価レポート生成システム。
【請求項５】
前記表示装置は、操作入力に応じて、宿泊施設においてユーザが宿泊する部屋に設けられた表示画面に前記睡眠評価レポートを表示する、
請求項４に記載の睡眠評価レポート生成システム。
【請求項６】
請求項１から請求項３の何れか一項に記載の睡眠評価レポート生成装置と、
前記睡眠評価レポート生成装置から前記評価レポート情報を受信し、宿泊施設においてユーザが宿泊する部屋ごとに前記睡眠の質の度合いを出力する管理者端末と、
を備える睡眠評価レポート生成システム。
【発明の詳細な説明】
【技術分野】
【０００１】
本発明は、睡眠評価レポート生成装置、及び睡眠評価レポート生成システムに関する。
【背景技術】
【０００２】
生体から生体情報を取得して、睡眠状態の指標となる情報を取得する睡眠状態測定装置がある（例えば、特許文献１参照）。このような睡眠状態測定装置を用いることで、生体の心拍、呼吸等を把握することができる。さらに、生体情報は、レム睡眠やノンレム睡眠等の睡眠の質を推定するための情報として用いることもできる。
【先行技術文献】
【特許文献】
【０００３】
【特許文献１】特開２０１７−０６４３３８号公報
【発明の概要】
【発明が解決しようとする課題】
【０００４】
しかしながら、生体情報から心拍や呼吸を把握できたとしても、心拍や呼吸の数値や波形や、レム睡眠あるいはノンレム睡眠等の睡眠の質を参照して、測定対象者にとって良い眠りであったか、あるいはどのようにすれば質のよい睡眠をとることができるかについて把握しようとしても、医師等の一定の知識を有する者でなければ、把握することは難しい。
【０００５】
本発明は、このような事情に鑑みてなされたもので、その目的は、特別な知識を有していなくても、生体情報を基にして睡眠に関する評価を把握することができる睡眠評価レポート生成装置、及び睡眠評価レポート生成システムを提供することにある。
【課題を解決するための手段】
【０００６】
上述した課題を解決するために、本発明は、少なくとも心拍数、呼吸数、体動を含むユーザの生体情報を取得する測定結果取得部と、前記測定結果取得部により取得された生体情報と睡眠の環境に関する睡眠環境状態とに基づいて、睡眠の良し悪しを判定した睡眠の質の度合いを含む評価データを生成する評価データ生成部と、前記睡眠の質の度合い、及び睡眠に関する評価を行う評価指標として少なくとも睡眠波形、寝返り回数、熟睡時間、心拍、呼吸波形の何れか一つを含む評価レポート情報を生成する評価レポート生成部と、前記評価レポート情報を出力する出力部と、を有する睡眠評価レポート生成装置である。
【０００７】
また、本発明は、上記に記載の前記睡眠評価レポート生成装置と、ユーザによる操作入力に応じて、前記睡眠評価レポート生成装置から前記評価レポート情報を受信し、受信した評価レポート情報の内容である睡眠評価レポートを表示する表示装置と、を備える睡眠評価レポート生成システムである。
また、本発明は、上記に記載の前記睡眠評価レポート生成装置と、前記睡眠評価レポート生成装置から前記評価レポート情報を受信し、宿泊施設においてユーザが宿泊する部屋ごとに前記睡眠の質の度合いを出力する管理者端末と、を備える睡眠評価レポート生成システムである。
【発明の効果】
【０００８】
以上説明したように、この発明によれば、生体情報に基づいて評価指標に基づく評価データを取得し、評価データに対応する評価コメントを生成するようにしたので、特別な知識を有していなくても、睡眠に関する評価を把握することができる。
【図面の簡単な説明】
【０００９】
【図１】実施形態の睡眠評価レポート生成システム１の構成を示す構成図である。
【図２】実施形態の睡眠評価レポートの一例を示す図である。
【図３】実施形態の睡眠スコアの判定基準の一例を示す図である。
【図４】実施形態の評価コメント記憶部１０３に記憶される情報の一例である。
【図５】実施形態の熟睡度を算出する方法を説明するための図である。
【図６】実施形態の管理者端末６０の管理画面の一例を示す図である。
【図７】実施形態の管理者端末６０の管理画面の一例を示す図である。
【図８】実施形態の管理者端末６０の管理画面の一例を示す図である。
【図９】実施形態の睡眠評価レポート生成装置１０の動作例を示すフローチャートである。
【発明を実施するための形態】
【００１０】
以下、本発明の一実施形態による睡眠評価レポート生成装置、及び睡眠評価レポート生成システムについて図面を参照して説明する。
図１は、実施形態の睡眠評価レポート生成システム１の構成を示す構成図である。
図１に示すように、睡眠評価レポート生成システム１は、例えば、睡眠評価レポート生成装置１０、センサシート２０、通信制御装置３０、端末装置４０、印刷装置５０、管理者端末６０及び通信ネットワーク７０を備える。睡眠評価レポート生成装置１０、センサシート２０、通信制御装置３０、端末装置４０、印刷装置５０及び管理者端末６０の各々は、通信ネットワーク７０を介して通信可能に接続される。
【００１１】
睡眠評価レポート生成装置１０は、通信制御装置３０から、ユーザの生体情報を取得する。ここで、睡眠評価レポート生成装置１０が取得する生体情報には、例えば、ベッドにいるユーザの心拍数や呼吸数、体動の有無及びユーザの睡眠の深さを示す情報が含まれる。ここでの睡眠の深さは、例えば、特許文献１に記載の技術を用いて心拍間隔の瞬時位相と呼吸パターンの瞬時位相との間の位相差に基づく位相コヒーレンスλを算出することにより導出されてよい。しかしながら、ユーザの睡眠の深さは、位相コヒーレンスλに限定されることはない。ユーザの睡眠の深さは、ユーザの睡眠の深さを判定する指標となり得る情報であればよく、例えば、ユーザの安定度合い、ストレス度合い、又はリラックス度合い等を示す情報であればよい。
【００１２】
睡眠評価レポート生成装置１０は、取得したユーザの生体情報に基づいて、評価レポート情報を生成する。評価レポート情報は、睡眠評価レポート（図２の睡眠評価レポート５００参照）を示す情報である。ここで、評価レポート情報には、上述した生体情報、生体情報に基づいて判定された睡眠に関する評価、その評価に対するコメント、及び睡眠に用いられる物品等の広告や情報が含まれる。
睡眠評価レポート生成装置１０は、受信したユーザの生体情報及び生成した評価レポート情報を、所定の送信先に送信する。ここでの送信先は、例えば、端末装置４０や管理者端末６０である。
【００１３】
センサシート２０は、シート型のセンサであって、例えば、膜厚方向に働く圧力を検知する圧電センサである。センサシート２０は、例えば、ユーザが就寝するベッドのマットレスの下、或いはマットレスが二層構造である等、複数のマットレスが設けられている場合にはマットレスとマットレスとの間に設けられ、ベッドにユーザがいる場合におけるユーザの動きを検知する。センサシート２０は、検知した結果を通信制御装置３０に出力する。
【００１４】
通信制御装置３０は、センサシート２０により検知された電気信号を取得する。通信制御装置３０は、取得した電気信号を解析することにより、ユーザの生体情報を算出する。通信制御装置３０は、例えば、取得した電気信号にフィルタ処理を行なうことにより、心拍や呼吸及び体動に対応する所定の周波数帯域の信号を抽出し、抽出した信号に基づいて単位時間あたりの心拍数や呼吸数及び体動の有無を算出する。また、通信制御装置３０は、算出したユーザの心拍数等に基づいて、ユーザの睡眠の深さ（例えば、位相コヒーレンスλ）を算出する。通信制御装置３０は、算出したユーザの生体情報を、睡眠評価レポート生成装置１０に送信する。
【００１５】
端末装置４０は、例えば、ユーザが就寝する部屋に設けられたタブレット端末、又はノート型或いはデスクトップ型のパーソナルコンピュータ等である。或いは、端末装置４０は、ユーザが所有するスマートフォンやタブレット端末であってもよい。端末装置４０は、例えば、ユーザによる操作入力に応じて、睡眠評価レポート生成装置１０から評価レポート情報を受信する。端末装置４０は、受信した評価レポート情報に基づいて睡眠評価レポートを表示画面に表示する。これにより、ユーザは自身の所望するタイミングで睡眠評価レポートを入手して閲覧することができる。なお、端末装置４０は、ユーザが宿泊する部屋に設置されたテレビであってもよい。この場合、当該テレビは、例えば、特定チャンネルが選択された場合に、睡眠評価レポート生成装置１０から受信した評価レポート情報に基づいて、睡眠評価レポートを表示する。
【００１６】
管理者端末６０は、睡眠評価レポート生成装置１０を管理する管理者の端末装置である。管理者端末６０は、睡眠評価レポート生成装置１０からユーザの生体情報及び評価レポート情報を受信する。管理者端末６０は、受信した評価レポート情報に基づいて睡眠評価レポートを表示画面に表示してもよいし、印刷装置５０に出力して印刷してもよい。
例えば、睡眠評価レポート生成システム１がホテル等の施設に適用された場合、管理者端末６０は、ホテルのフロントに設けられる端末装置である。この場合、管理者端末６０は、受信した評価レポート情報に基づいて睡眠評価レポートを印刷し、宿泊客に睡眠評価レポートを提示するサービスを行うことができる。また、管理者端末６０は、生体情報を受信することで、宿泊客の睡眠の状況を確認することができる。例えば、管理者端末６０は、朝やチェックアウト時などに、宿泊客が離床しているかを確認することができ、モーニングコールを行ったり、チェックアウトの案内を行ったりすることができる。
【００１７】
また、管理者端末６０は、睡眠評価レポートに掲載する情報を、睡眠評価レポート生成装置１０に送信してもよい。
管理者端末６０がホテルのフロントに設けられた端末装置である場合、管理者端末６０は、例えば、ユーザが使用した客室のマットレス、枕、かけ布団などの寝具、及びアメニティグッズ、フレグランス、シャンプーなどの備品に関する情報を睡眠評価レポート生成装置１０に送信する。
また、管理者端末６０は、睡眠に関して利用可能なサービスの情報を、睡眠評価レポート生成装置１０に送信してもよい。ここでの睡眠に関するサービスとは、睡眠の質を高めるために行われるサービスであり、例えば、レストランで提供される安眠のために消化のよい食事、睡眠に適した湯温の浴場、フィットネスクラブで提供される睡眠前に適した運動等である。
また、管理者端末６０は、ユーザによって施設に宿泊した際に利用された寝具や備品、及びサービスについての情報を、睡眠評価レポート生成装置１０に送信してもよい。
【００１８】
また、管理者端末６０は、評価レポート情報の生成に用いられる各種パラメータを設定する。ここでの、各種パラメータには、例えば、生体情報を取得する時間帯の設定等が含まれる。例えば、管理者端末６０は、表示装置（不図示）に管理画面を表示させる。管理画面には、各種パラメータの設定を行う設定項目が表示される。管理者端末６０は、キーボードやマウス等の入力装置（不図示）から、管理者等の入力操作により入力された設定値を取得し、取得した値を、各種パラメータを記憶する記憶部（不図示）に記憶させる。この記憶部は、管理者端末６０に備えられていてもよいし、睡眠評価レポート生成装置１０に備えられていてもよい。この記憶部に記憶された各種パラメータは、睡眠評価レポート生成装置１０により参照され、睡眠判定レポートを生成する際に用いられる。
【００１９】
印刷装置５０は、管理者端末６０から出力された睡眠評価レポートを印刷する。
通信ネットワーク７０は、例えば、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、プロバイダ装置、無線基地局、専用回線などのうちの一部または全部を含む通信網である。
【００２０】
また、図１に示すように、睡眠評価レポート生成装置１０は、例えば、測定結果取得部１０１、評価データ生成部１０２、評価コメント記憶部１０３、評価レポート生成部１０４、出力部１０５、生体情報記憶部１０６、物品情報記憶部１０７、物品情報取得部１０８及び利用物品記憶部１０９を備える。
【００２１】
測定結果取得部１０１は、測定されたユーザの生体情報を取得する。測定結果取得部１０１は、センサシート２０により検出された電気信号に基づき、通信制御装置３０により測定されたユーザの生体情報を、通信制御装置３０から取得する。測定結果取得部１０１は、取得したユーザの生体情報を生体情報記憶部１０６に記憶させる。
【００２２】
評価データ生成部１０２は、取得された生体情報に基づいて、睡眠に関する評価を行う評価指標に基づく評価データを生成する。
まず、評価データ生成部１０２は、取得された生体情報に基づいて、ユーザがベッドにいるか否か（入床又は離床）、寝ているか起きているか（覚醒又は入眠）、及び寝返りの有無を判定する。具体的には、評価データ生成部１０２は、例えば、取得したユーザの生体情報から、心拍又は呼吸が検知された場合、入床していると判定する。また、評価データ生成部１０２は、例えば、体動の継続時間に基づいて、覚醒している、又は寝返りが有ったと判定する。
【００２３】
次に、評価データ生成部１０２は、入床又は離床、及び覚醒又は入眠、寝返りの有無等を判定した結果に基づいて、睡眠時間、熟睡度、寝返りの回数、睡眠効率及び睡眠波形を生成する。こで、睡眠時間は、所定の時間帯において入眠と判定された時刻から覚醒と判定された時刻までの合計の時間である。熟睡度は、睡眠時間に対して深い睡眠と判定された時間の割合である。睡眠効率は、所定の時間帯において入床と判定された時間の合計に対する入眠と判定された時間の割合である。睡眠波形は、睡眠の深さ（例えば、位相コヒーレンスλ）の時系列における変化である。この場合、睡眠時間、熟睡度、寝返りの回数、睡眠効率及び睡眠波形は、睡眠に関する評価を行う指標として用いられる。つまり、睡眠時間、熟睡度、寝返りの回数、睡眠効率及び睡眠波形は、「評価指標」の一例である。
【００２４】
そして、評価データ生成部１０２は、睡眠時間、熟睡度、寝返りの回数及び睡眠効率に対応する睡眠スコア（図３参照）を判定する。睡眠スコアは、睡眠時間、熟睡度、寝返りの回数及び睡眠効率の数値に応じて、睡眠の質の良し悪しを判定した判定結果であり、評価結果を点数化したものである。睡眠の質の良し悪しは、例えば、睡眠の専門家や研究機関により定められた基準や指標に基づいて判定される。睡眠スコアは、睡眠の質の良し悪しを２値で示すものであってもよいし、１〜５段階などの複数の段階で示すものであってもよい。ここで、睡眠スコアは、「評価結果」の一例である。
【００２５】
なお、評価データ生成部１０２は、上述した睡眠時間、熟睡度、寝返りの回数、睡眠効率、睡眠波形、及び睡眠スコアの各々の他に、睡眠に関する評価を行う評価指標を生成してもよい。評価データ生成部１０２は、睡眠時間の中に覚醒したか否か（中途覚醒の有無）や、特定の時間帯（例えば早朝時）における睡眠の深さ等に応じた評価指標を生成してもよい。
評価データ生成部１０２は、生成した評価データを評価レポート生成部１０４に出力する。
【００２６】
評価コメント記憶部１０３は、予め管理者等により作成された評価コメントを記憶する。
評価コメントは、個々の評価指標に対応させて、評価指標の数値の範囲毎に作成されてよい。具体的には、評価コメントは、睡眠時間に対するコメント、寝返り回数に対するコメント…というように、個々の評価指標に対してコメントが作成され、睡眠時間に対するコメントには、睡眠時間に対応する睡眠スコアごとのコメントが作成される。例えば、評価コメントは、睡眠時間が少ないと判定された場合（例えば、５時間未満）のコメント、睡眠時間が適切と判定された場合（例えば、５時間以上８時間未満）のコメント…というように、睡眠時間の長さに応じた睡眠スコアごとに作成される。同様に、評価コメントは、熟睡度や寝返りの回数、及び睡眠効率についても数値や度合いの大きさ、睡眠スコアに応じて作成される。
【００２７】
また、評価コメントは、複数の評価指標の組み合わせ毎に作成されてよい。この場合、評価コメントは、睡眠時間、熟睡度及び寝返りの回数、及び睡眠効率の各々の睡眠スコアの組み合わせごとに生成される（図３参照）。評価コメントは、睡眠時間が「良い」、熟睡度が「良い」及び寝返りの回数が「良い」、及び睡眠効率が「良い」と判定された場合のコメント、睡眠時間、熟睡度及び寝返りの回数が「良い」と判定されたが、睡眠効率が「悪い」と判定された場合のコメント…というように、複数の評価指標の組み合わせに対して作成され、つまり総合的な評価結果に対して作成される。
【００２８】
なお、睡眠時間、熟睡度、寝返りの回数及び睡眠効率の何れを組み合わせに対して評価コメントを生成するかは、任意に決定されてよい。また、睡眠時間、熟睡度、寝返りの回数及び睡眠効率のうち少なくとも一つの睡眠指標に、これらの睡眠指標以外の他の睡眠指標を組み合わせてもよい。
【００２９】
評価レポート生成部１０４は、評価レポート情報を生成する。
評価レポート生成部１０４は、評価データ生成部１０２により生成された評価指標（評価データ）を取得する。そして、評価レポート生成部１０４は、取得した評価データに基づいて評価コメント記憶部１０３を参照し、評価データの内容に対応した評価コメントを取得する。この場合、評価レポート生成部１０４は、個々の評価データに対応する評価コメントを取得すると共に、個々の評価データの組み合わせに対応する評価コメントを取得する。
【００３０】
また、評価レポート生成部１０４は、物品情報取得部１０８から物品に関する情報を取得する。
評価レポート生成部１０４は、取得した評価データ、評価コメント、及び物品に関する情報を、予め設定された睡眠評価レポートのレイアウトに対応させることにより、評価レポート情報を作成する。評価レポート生成部１０４は、作成した評価レポート情報を出力部１０５に出力する。
【００３１】
出力部１０５は、評価レポート生成部１０４により作成された評価レポート情報を出力する。出力部１０５は、例えば、評価レポート情報を端末装置４０や管理者端末６０に送信する。
【００３２】
生体情報記憶部１０６は、測定結果取得部１０１により取得されたユーザの生体情報を記憶する。測定結果取得部１０１は、例えばユーザを識別する識別情報を対応付けてユーザの生体情報を記憶する。
物品情報記憶部１０７は、寝具や備品等の睡眠に用いられる物品、及び睡眠に関して利用可能なサービスに関する情報を記憶する。ここでの、物品及びサービスに関する情報は、管理者端末６０から送信された情報であってもよいし、予め記憶された物品又はサービスの情報であってもよい。
物品情報取得部１０８は、物品情報記憶部１０７を参照し、物品の情報を取得する。物品情報取得部１０８は、取得した物品に関する情報を、評価レポート生成部１０４に出力する。
利用物品記憶部１０９は、睡眠に関してユーザに利用された物品及びサービスに関する情報を記憶する。ここでの、物品及びサービスに関する情報は、管理者端末６０から送信された情報であってもよいし、睡眠判定レポートに掲載された情報であってもよい。また、ユーザにより物品及びサービスに関する情報が設定されてもよい。この場合、ユーザは、ユーザが利用した物品及びサービスに関する情報を、端末装置４０から睡眠評価レポート生成装置１０に出力する。
【００３３】
ここで、睡眠評価レポートについて図２を用いて説明する。図２は、実施形態の睡眠評価レポートの一例を示す図である。
図２に示すように、睡眠評価レポート５００は、複数の領域５０１〜５０６により構成される。この図では、ホテルの宿泊客に対して睡眠評価レポート５００が作成された場合の例を示している。
領域５０１には、宿泊日、宿泊者（ユーザ）氏名、宿泊施設（ホテル）名称等の書誌的事項が掲載される。
領域５０２には、「あなたの睡眠結果は…」というタイトルで複数の評価データをレーダーチャートにより示した睡眠結果、及び「総評・アドバイス」というタイトルで睡眠結果に対する評価コメントが掲載される。
領域５０３には、「睡眠周期」というタイトルで睡眠波形が掲載される。この例では、睡眠波形の横軸に時間、縦軸に睡眠の深さが示され、睡眠の深さは「うとうと」、「すやすや」、「ぐっすり」、「熟睡」の各段階で示されている。
領域５０４には、「睡眠時間／熟睡時間」というタイトルで、ユーザの睡眠時間と熟睡時間と、それに対する評価コメントが掲載される。ユーザの睡眠時間と熟睡時間とが掲載された位置の上部には、「みんなの平均」というタイトルで、目安となる睡眠時間と熟睡時間とが掲載される。
また、領域５０４には、「寝返り回数」というタイトルで、ユーザの寝返り回数とその回数に対する評価コメントが掲載される。ユーザの寝返り回数が掲載された位置の上部には、「みんなの平均」というタイトルで、目安となる寝返り回数が掲載される。
領域５０５には、「心拍／呼吸」というタイトルで、心拍及び呼吸と時間との関係を示すグラフが掲載される。
領域５０６には、「本日お泊り頂いたお部屋のこだわりアイテム」というタイトルで、ホテルの客室に設けられた寝具や備品の紹介が掲載される。
【００３４】
ここで、評価データ生成部１０２による睡眠スコアを判定する方法について図３を用いて説明する。図３は、実施形態の睡眠スコアの判定基準の一例を示す図である。
評価データ生成部１０２は、例えば、図示しない記憶部に図３に示す判定基準を記憶させる。評価データ生成部１０２は、評価データとして算出した睡眠時間に応じて、図３に示す判定基準を参照し、睡眠時間に応じた睡眠スコアを取得する。同様に、評価データ生成部１０２は、熟睡度に応じた睡眠スコアを取得する。また、評価データ生成部１０２は、寝返りの回数に応じた睡眠スコアを取得する。
【００３５】
ここで、評価コメントについて図４を用いて説明する。図４は、実施形態の評価コメント記憶部１０３に記憶される評価コメントの一例である。図４では、睡眠時間、熟睡度及び寝返り回数等の各評価データを総合的に評価する評価コメント（図４では、「総評価コメント」と記載）の例を示している。
図４に示すように、評価コメントには識別Ｎｏ、睡眠時間、熟睡度、寝返り回数及び総評価コメントの各項目を有する。識別Ｎｏには、評価コメントを一意に識別する識別番号が示される。
【００３６】
睡眠時間、熟睡度及び寝返り回数の各項目には、各評価データの数値に応じた睡眠スコアにより判定される「良い」「悪い」等の判定結果が示される。総評価コメントには、睡眠時間、熟睡度及び寝返り回数についての「良い」「悪い」の判定結果の組み合わせに応じた評価コメントが示される。
【００３７】
例えば、睡眠時間、熟睡度及び寝返り回数の判定結果が、すべて「良い」であった場合、総評価コメントの項目には「あなたの睡眠は申し分ありません」等の文言が示される。なお、評価コメントの項目には、睡眠評価レポートに掲載される文言そのものが示されていてもよいし、「パターン０１」等の評価コメントに対応するパターン番号が示されていてもよい。この場合、パターン番号に対応する評価コメントが、別途記憶される。
また、睡眠時間、熟睡度及び寝返り回数の各項目には、各評価データの数値に応じた睡眠スコアそのものが示されてもよい。この場合、睡眠時間、熟睡度及び寝返り回数の各項目の睡眠スコアの組み合わせに応じたコメントが、総評価コメントに記載される。
【００３８】
ここで、評価データ生成部１０２が熟睡度を算出する方法について図５を用いて説明する。図５は、実施形態の評価データ生成部１０２が熟睡度を算出する方法を説明するための図である。図５では睡眠波形の一例を模式的に示しており、横軸は時間、縦軸は睡眠の深さを示している。
評価データ生成部１０２は、睡眠波形における睡眠の深さが、所定の閾値以上である領域Ｓ１と、所定の閾値未満である領域Ｓ２とに分類する。ここでの閾値は、「評価指標」の一例である。
評価データ生成部１０２は、例えば、領域Ｓ１、Ｓ２の各々の面積を算出する。そして、評価データ生成部１０２は、領域Ｓ１、Ｓ２の各々の面積を用いて以下の式（１）により熟睡度を算出する。
【００３９】
熟睡度＝領域Ｓ１の面積／（領域Ｓ１の面積＋領域Ｓ２の面積）    …（１）
【００４０】
これにより、熟睡度は、領域Ｓ１の面積、つまり所定の閾値以上に深い睡眠である場合の割合が増加するほど、増加する評価データとして、定量的に算出される値となる。
【００４１】
ここで、管理者端末６０が各種パラメータの設定する方法について図６を用いて説明する。図６は、実施形態の管理者端末６０の管理画面の一例を示す図である。
図６に示すように、管理者端末６０は、各種パラメータを設定するための画像６００を表示させる。画像６００は、領域６０１〜６０３で構成される。
領域６０１には、ホテル等の施設の名称や、現在日時が示される。
領域６０２には、生体情報を取得する時間帯（図６では、睡眠監視時間と記載）を設定する設定項目が示される。この例では、生体情報を取得する時間帯の開始時刻と、生体情報を取得する時間帯の長さとを設定する設定項目が示される。
領域６０３には、「みんなの平均」を設定する設定項目が示される。この例では睡眠時間、熟睡時間、寝返り回数の評価データごとに「みんなの平均」を設定する設定項目が示される。ここで、「みんなの平均」は、統計的な平均値を示す数値ではなく、睡眠指標の目安となる値であり、施設ごとに設定されてよい。例えば、都心のホテルであれば、宿泊客は人と会う予定があったり、仕事やツアーなどに参加する予定があったりして、ある程度の緊張感をもって行動している場合が多い。このため、例えば、「みんなの平均」の睡眠時間や熟睡時間は、短めに設定されてよい。一方、自然が豊かな観光地のホテルであれば、宿泊客は、日々の忙しさから離れて休息に訪れる場合が多い。このため、例えば、「みんなの平均」睡眠時間や熟睡時間は、長めに設定されてよい。
領域６０４には、設定した内容を確定させる「設定」ボタンや、画面を遷移させる「前の画面」ボタンが示される。
【００４２】
ここで、管理者端末６０が睡眠評価レポート生成装置１０から受信する内容について図７を用いて説明する。図７は、実施形態の管理者端末６０の管理画面の一例を示す図である。図７では、ホテルに宿泊する宿泊客の全員について、睡眠の深さを表示させた画像６１０の例を示している。
図７に示すように、画像６１０は、領域６１１、６１２、及び設定ボタン６１３で構成される。
領域６１１には、ホテルの施設の名称や、現在日時が示される。
領域６１２には、ホテルの客室番号（図７では、設置場所と記載）に、その客室に宿泊しているユーザの睡眠の深さ（図７では、状態と記載）を対応させた一覧表が示される。この例では、ユーザの睡眠の深さが、覚醒、睡眠１、睡眠２、睡眠３、睡眠４及び離床の各々の状態に分類され、各状態に対応させたアイコンの表示により睡眠の深さが示される。
設定ボタン６１３は、睡眠判定レポートを表示させるための設定ボタンである。例えば、管理者が、客室番号を設定した上で設定ボタン６１３をクリックすると、図２に示すような睡眠判定レポートが表示される。
【００４３】
ここで、睡眠評価レポート生成装置１０が評価レポート情報を生成する方法について図８を用いて説明する。図８は、実施形態の睡眠評価レポートの生成に用いる画面の一例を示す図である。図８では、図２の睡眠評価レポートのテンプレートとなる画像６２０の例を示している。
図８に示すように、画像６２０は、領域６２１及び６２２で構成される。
領域６２１には、ホテルの施設の名称、ユーザの客室番号と氏名、及び現在日時が示される。領域６２１には、ユーザに提示される睡眠評価レポートのテンプレートとなる画像が示される。領域６２２は、エリアＥ１〜Ｅ１０で構成される。
エリアＥ１〜Ｅ３は、睡眠判定レポートの書誌的事項が記載される領域を示している。具体的には、エリアＥ１は宿泊日時、エリアＥ２はユーザの氏名、エリアＥ３には宿泊ホテルの名称がそれぞれ記載される領域である。
エリアＥ４〜Ｅ９は、ユーザの生体情報や評価データ及び評価コメントが記載される領域を示している。具体的には、エリアＥ４は複数の評価データから求めた睡眠スコアを示すレーダーチャート、エリアＥ５はレーダーチャートに対する評価コメント、エリアＥ６は睡眠時間と熟睡時間及びその評価コメント、エリアＥ７は寝返り回数とその評価コメント、エリアＥ８は睡眠波形、エリアＥ９は心拍や呼吸の時系列の変化がそれぞれ示される領域である。
エリアＥ１０は、管理者端末６０から指定された物品の情報が記載される領域を示している。物品の情報は、例えば、エリアＥ１０の領域の形状に合ったＪＰＧ（ジェイペグ）やＰＮＧ（ピング）等の画像データで管理者端末６０から提供されてよい。
睡眠評価レポート生成装置１０は、領域６２１、６２２及びエリアＥ１〜Ｅ１０の各々に、ユーザの評価データ、評価コメント及び物品の情報を対応させることにより評価レポート情報を生成する。
【００４４】
ここで、睡眠評価レポート生成装置１０が評価レポート情報を生成する動作の流れについて図９を用いて説明する。図９は、実施形態の睡眠評価レポート生成装置１０の動作例を示すフローチャートである。
測定結果取得部１０１は、測定されたユーザの生体情報を取得する（ステップＳ１０１）。
睡眠評価レポート生成装置１０の評価データ生成部１０２は、取得された生体情報に基づいて、睡眠に関する評価を行う評価指標に基づく評価データを生成する（ステップＳ１０２）。
評価レポート生成部１０４は、評価コメント記憶部１０３を参照し、評価データに対応する評価コメントを読み出す（ステップＳ１０３）。
評価レポート生成部１０４は、評価レポート情報を生成する（ステップＳ１０４）。評価レポート生成部１０４は、評価データ、評価コメント、及び寝具や備品等の物品、或いはサービス等に関する情報を、睡眠評価レポートのテンプレート画像に示される所定の領域に対応させることにより、評価レポート情報を生成する。
出力部１０５は、評価レポート情報を出力する（ステップＳ１０５）。
【００４５】
以上説明したように、実施形態の睡眠評価レポート生成装置１０は、測定されたユーザの生体情報を取得する測定結果取得部１０１と、取得された生体情報に基づいて、睡眠に関する評価を行う評価指標に基づく評価データを生成する評価データ生成部１０２と、評価データと評価コメントを対応づけて記憶する評価コメント記憶部１０３と、生成された評価データに対応する評価コメントを前記評価コメント記憶部１０３から読み出し、取得された生体情報に応じた評価データと読み出された評価コメントとを含む評価レポート情報を生成する評価レポート生成部１０４と、評価レポート情報を出力する出力部１０５と、を備える。これにより、実施形態の睡眠評価レポート生成装置１０は、生体情報に基づいて評価データを生成し、生成した評価データに評価コメントを対応させた情報を出力させることができ、ユーザが特別な知識を有していなくても、生体情報を基にして睡眠に関する評価を把握することができる。
【００４６】
また、実施形態の睡眠評価レポート生成装置１０では、評価データ生成部１０２は、複数の評価指標のそれぞれに対応した評価データを生成し、評価コメント記憶部１０３は、複数の評価指標のそれぞれの評価結果の組み合わせに対応づけて評価コメントを記憶し、評価レポート生成部１０４は、複数の評価指標のそれぞれの評価結果の組み合わせに対応する評価コメントを評価コメント記憶部１０３から読み出す。これにより、実施形態の睡眠評価レポート生成装置１０は、複数の評価指標の組み合わせ毎に、総合的な評価コメントを対応させることができ、ユーザに睡眠の総合的な評価の結果をレポートすることができる。
【００４７】
また、実施形態の睡眠評価レポート生成装置１０は、施設において睡眠する際に利用可能な物品に関する情報である物品情報を記憶する物品情報記憶部１０７と、評価データに応じた物品の物品情報を物品情報記憶部１０７から読み出す物品情報取得部１０８を更に有し、測定結果取得部１０１は、ユーザが施設において睡眠する場合における睡眠期間において測定された生体情報を取得し、評価レポート生成部１０４は、物品情報取得部１０８によって読み出された物品情報を含む評価レポート情報を生成する。これにより、実施形態の睡眠評価レポート生成装置１０は、睡眠時に利用した寝具等の情報を、ユーザに宣伝することができ、実際に利用した寝具等の宣伝を行うことで広告の効果を高めることが可能である。また、実施形態の睡眠評価レポート生成装置１０は、ユーザが睡眠の前に、枕やフレグランスを選択した場合には、その枕等の情報を掲載することで、ユーザが選んだ物品を利用して睡眠した評価をユーザにレポートし、ユーザは実際に体験した上で枕やマットレスの効果を客観的に確認することができる。
【００４８】
また、実施形態の睡眠評価レポート生成装置１０では、出力部１０５は、印刷装置５０による印刷またはユーザが利用する端末装置４０に対する送信のうちいずれかによって評価レポート情報を出力する。これにより、実施形態の睡眠評価レポート生成装置１０は、睡眠評価レポートをユーザに対して印刷して提示したり、ユーザが閲覧を所望するタイミングで端末装置４０に表示させたりすることができる。
【００４９】
（実施形態の変形例）
なお、上記実施形態では、所定の期間に取得された生体情報に基づいて評価データを生成したが、評価データ生成部１０２は、所定の期間に取得された生体情報と共に、そのユーザの過去の生体情報や評価データを用いて、評価データを生成してもよい。以下、評価データ生成部１０２が、ユーザにおける過去の生体情報や評価データを用いて、評価データを生成する処理について、実施形態の変形例として説明する。
【００５０】
測定結果取得部１０１は、通信制御装置３０から取得したユーザの生体情報を、ユーザ識別情報とともに睡眠期間毎に、生体情報記憶部１０６に記憶させる。ここでのユーザ識別情報は、ユーザを一意に識別する情報である。また、睡眠期間は、生体情報を取得する期間として設定される期間であり、例えば、一泊する際に寝る期間である。つまり、本実施形態では、生体情報記憶部１０６は、ユーザの生体情報を、ユーザ識別情報とともに睡眠期間毎に記憶する。
【００５１】
また、本変形例では、利用物品記憶部１０９は、睡眠に関してユーザに利用された寝具又は備品、或いはサービスに関する情報を、ユーザ識別情報とともに睡眠期間毎に記憶する。
【００５２】
評価データ生成部１０２は、生体情報記憶部１０６からユーザの生体情報を読み出し、今回評価データを生成する対象の睡眠期間における生体情報に応じた評価データと、当該生体情報よりも前に取得された睡眠期間における生体情報に応じた評価データとを評価データとして含む評価レポート情報を生成する。
【００５３】
また、評価データ生成部１０２は、さらに、利用物品記憶部１０９に記憶された寝具または備品に関する情報を含む評価レポート情報を生成するようにしてもよい。この場合、評価データ生成部１０２は、ユーザが過去に利用した寝具または備品に関する情報とその時の睡眠評価と、今回利用した寝具または備品に関する情報と今回の睡眠評価を含む評価レポート情報を生成するようにしてもよい。
【００５４】
以上説明したように、実施形態の変形例における睡眠評価レポート生成装置１０では、生体情報記憶部１０６から読み出た生体情報よりも前に取得された睡眠期間における生体情報に応じた評価データを評価データとして含む評価レポート情報を生成する。これにより、実施形態の変形例における睡眠評価レポート生成装置１０は、今回宿泊した際の評価データに加えて、前回宿泊した際の評価データを掲載した睡眠評価レポートを生成することができ、ユーザに対して今回と前回とを比較した提示を行うことができる。また、以前に宿泊したときの睡眠評価と今回宿泊した時の睡眠評価とを出力することで、宿泊施設の管理者は宿泊者に対して、繰り返し来訪してもらえるように促すこともできる。
【００５５】
また、実施形態の変形例における睡眠評価レポート生成装置１０では、利用物品記憶部１０９に記憶された寝具または備品に関する情報を含む評価レポート情報を生成する。これにより、実施形態の変形例における睡眠評価レポート生成装置１０は、前回宿泊した際に用いた枕や利用したレストランなどの情報を掲載した睡眠評価レポートを生成することができ、ユーザに対して今回と前回とで利用した物品やサービスと今回や前回の睡眠評価の結果とを比較させた提示を行うことができる。また、今回の宿泊で利用した寝具や備品に関する情報と、睡眠評価とを出力するようにしたので、利用者は利用した寝具と備品と睡眠評価との関係を把握することができ、次に睡眠をとる際、よりよい睡眠を得るために、利用する寝具や備品を選択する際の手がかりにすることができる。
【００５６】
上述した実施形態における睡眠評価レポート生成装置１０の全部又は一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００５７】
以上、この発明の実施形態について図面を参照して詳述してきたが、具体的な構成はこの実施形態に限られるものではなく、この発明の要旨を逸脱しない範囲の設計等も含まれる。
【符号の説明】
【００５８】
１…睡眠評価レポート生成システム
１０…睡眠評価レポート生成装置
１０１…測定結果取得部
１０２…評価データ生成部
１０３…評価コメント記憶部
１０４…評価レポート生成部
１０５…出力部
１０６…生体情報記憶部
１０７…物品情報記憶部
１０８…物品情報取得部
１０９…利用物品記憶部
２０…センサシート
３０…通信制御装置
４０…端末装置
５０…印刷装置
６０…管理者端末
７０…通信ネットワーク
【図１】
2019202125.tif 000003
【図２】
2019202125.tif 000004
【図３】
2019202125.tif 000005
【図４】
2019202125.tif 000006
【図５】
2019202125.tif 000007
【図６】
2019202125.tif 000008
【図７】
2019202125.tif 000009
【図８】
2019202125.tif 000010
【図９】
2019202125.tif 000011
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
少なくとも心拍数、呼吸数、体動を含むユーザの生体情報を取得する測定結果取得部と、
前記測定結果取得部により取得された生体情報に基づいて、睡眠の良し悪しを判定した睡眠の質の度合いを含む評価データを生成する評価データ生成部と、
前記睡眠の質の度合い、睡眠の質を高めるために行われるサービス、及び睡眠に関する評価を行う評価指標として少なくとも睡眠波形、寝返り回数、熟睡時間、心拍、呼吸波形の何れか一つを含む評価レポート情報を生成する評価レポート生成部と、
前記評価レポート情報を出力する出力部と、
を有する睡眠評価レポート生成装置。
【請求項２】
前記睡眠の質の度合いは、睡眠の質の良し悪しを点数化した睡眠スコアである、
請求項１に記載の睡眠評価レポート生成装置。
【請求項３】
前記測定結果取得部は、宿泊施設におけるユーザが宿泊する部屋ごとに設けられたセンサシートにより測定された、ユーザの生体情報を取得し、
前記評価レポート生成部は、前記宿泊施設におけるユーザが宿泊する部屋ごとに前記評価レポート情報を生成する、
請求項１又は請求項２に記載の睡眠評価レポート生成装置。
【請求項４】
請求項１から請求項３の何れか一項に記載の睡眠評価レポート生成装置と、
操作入力に応じて前記睡眠評価レポート生成装置から前記評価レポート情報を受信し、受信した評価レポート情報の内容である睡眠評価レポートを表示する表示装置と、
を備える睡眠評価レポート生成システム。
【請求項５】
前記表示装置は、操作入力に応じて、宿泊施設においてユーザが宿泊する部屋に設けられた表示画面に前記睡眠評価レポートを表示する、
請求項４に記載の睡眠評価レポート生成システム。
【請求項６】
請求項１から請求項３の何れか一項に記載の睡眠評価レポート生成装置と、
前記睡眠評価レポート生成装置から前記評価レポート情報を受信し、宿泊施設においてユーザが宿泊する部屋ごとに前記睡眠の質の度合いを出力する管理者端末と、
を備える睡眠評価レポート生成システム。
【手続補正２】
【補正対象書類名】明細書
【補正対象項目名】０００６
【補正方法】変更
【補正の内容】
【０００６】
上述した課題を解決するために、本発明は、少なくとも心拍数、呼吸数、体動を含むユーザの生体情報を取得する測定結果取得部と、前記測定結果取得部により取得された生体情報に基づいて、睡眠の良し悪しを判定した睡眠の質の度合いを含む評価データを生成する評価データ生成部と、前記睡眠の質の度合い、睡眠の質を高めるために行われるサービス、及び睡眠に関する評価を行う評価指標として少なくとも睡眠波形、寝返り回数、熟睡時間、心拍、呼吸波形の何れか一つを含む評価レポート情報を生成する評価レポート生成部と、前記評価レポート情報を出力する出力部と、を有する睡眠評価レポート生成装置である。